(57)【特許請求の範囲】
【請求項１】
インターホン親機と、１または複数のドアホン子器と、１または複数のインターホン副親機とを含んで構成され、インターホン親機はドアホン子器とインターホン副親機とを接続可能とし、インターホン副親機はインターホン親機と他のインターホン副親機とを接続可能としており、インターホン親機およびインターホン副親機の各々は、相互に音声を聞くことができて通話できる内線一斉呼出通話状態にする内線一斉呼出通話操作を可能としたものであるインターホン装置において、インターホン親機およびインターホン副親機の各々は、必要に応じて内線一斉呼出通話機能を自端末から他端末への送話信号のみを断とするように解除するための、内線一斉呼出通話解除手段をそれぞれ備え、前記内線一斉呼出通話状態は所定継続時間を経過すると自動的にオフするようにされており、前記所定継続時間を可変設定する内線一斉呼出通話継続時間可変設定手段を備え、前記インターホン親機およびインターホン副親機の各々が前記内線一斉呼出通話継続時間可変設定手段を備えており、内線一斉呼出通話継続時間は各々の内線一斉呼出通話継続時間可変設定手段に設定されている内線一斉呼出通話継続時間の中の最大時間になるようにしたことを特徴とするインターホン装置。
【発明の詳細な説明】
【０００１】
【発明の属する技術分野】
本発明は、２世帯住宅などで運用されるインターホン装置の改良に関する。
【０００２】
【従来の技術】
近時、１つの住宅に生活空間を異にした２家族が同居する形態の２世帯住宅が普及してきている。また、インターホン装置としては、住人が住居内に居ながらにして、玄関先に訪れている来訪者の映像を見ながら通話できるとともに、住居内の各部屋間の内線一斉呼出通話や個別通話が可能なテレビインターホン装置が普及してきている。更に、インターホン装置としては、部屋数の多い住宅にも対応できるとともに２世帯住宅にも対応可能なように、テレビカメラを搭載したテレビドアホン子器を複数接続できるとともに複数のテレビインターホン副親機をシリアルあるいはパラレル接続できるようにしたテレビインターホン親機を備えるものも開発されてきている。
【０００３】
【発明が解決しようとする課題】
しかしながら、従来の内線一斉呼出通話機能を備えるインターホン装置にあっては、内線一斉呼出操作を行うと、システムとして接続したインターホン親機および各インターホン副親機から一斉に内線一斉呼出音が鳴動された後、予め定められた所定継続時間（例えば１０秒間）、自動的に多者間通話機能が作動し、全部屋間が一斉通話可能な状態となり、各部屋の音声を相互に聞くことができるようになる。従って、僅かな所定継続時間（例えば１０秒間）ではあるものの、各部屋間のプライバシーが損なわれるという問題点があった。また、一斉通話可能になる所定継続時間は例えば１０秒間というように予め設定されており、都合に応じて継続時間を変更できないので使い勝手が悪いという問題点があった。
【０００４】
本発明は上記の問題点を解決するためになされたもので、その目的とするところは、各部屋間のプライバシーの損なわれることのない優れるインターホン装置を提供することにあり、更には一斉通話可能状態の継続時間を都合に応じて可変設定できる使い勝手の良い優れるインターホン装置を提供することにある。
【０００５】
【課題を解決するための手段】
本発明は上記の問題点を解決するため、請求項１記載の発明にあっては、インターホン親機と、１または複数のドアホン子器と、１または複数のインターホン副親機とを含んで構成され、インターホン親機はドアホン子器とインターホン副親機とを接続可能とし、インターホン副親機はインターホン親機と他のインターホン副親機とを接続可能としており、インターホン親機およびインターホン副親機の各々は、相互に音声を聞くことができて通話できる内線一斉呼出通話状態にする内線一斉呼出通話操作を可能としたものであるインターホン装置において、インターホン親機およびインターホン副親機の各々は、必要に応じて内線一斉呼出通話機能を自端末から他端末への送話信号のみを断とするように解除するための、内線一斉呼出通話解除手段をそれぞれ備えることを特徴とする。
【０００６】
請求項１記載の発明にあっては、前記内線一斉呼出通話状態は所定継続時間を経過すると自動的にオフするようにされており、前記所定継続時間を可変設定する内線一斉呼出通話継続時間可変設定手段を備えることを特徴とする。
【０００７】
請求項１記載の発明にあっては、前記インターホン親機およびインターホン副親機の各々が前記内線一斉呼出通話継続時間可変設定手段を備えており、内線一斉呼出通話継続時間は各々の内線一斉呼出通話継続時間可変設定手段に設定されている内線一斉呼出通話継続時間の中の最大時間になるようにしたことを特徴とする。
【０００８】
【発明の実施の形態】
以下、本発明に係る一実施の形態のインターホン装置を図１乃至図９に基づいて詳細に説明する。図１はインターホン装置を示すシステム構成図、図２はインターホン親機を示すブロック図、図３はインターホン親機の外観を示す斜視図、図４はインターホン親機の外観の要部を示す部分図、図５はインターホン親機に増設用チャイムを接続した状態を示す正面図、図６はインターホン副親機を示すブロック図、図７は通話ランプの点灯状態の種類を示す説明図、図８は呼出音の鳴動の種類を示す説明図、図９はドアホン子器の外観を示す斜視図である。
【０００９】
図１に示すように、このインターホン装置は、インターホン親機Ａと、インターホン副親機Ｂ１，…Ｂ３  と、ドアホン子器Ｃ１，Ｃ２  とを備える。インターホン親機Ａには、ドアホン子器Ｃ１  が回線Ｌ１  を介して、ドアホン子器Ｃ２  が回線Ｌ２  を介して、インターホン副親機Ｂ１  が回線Ｌ３  を介して、インターホン副親機Ｂ２  が回線Ｌ４  を介してそれぞれ接続されている。インターホン副親機Ｂ２  には、回線Ｌ５  を介してインターホン副親機Ｂ３  が接続されている。なお、このインターホン装置は、２台のドアホン子器Ｃ１，Ｃ２  を接続できるとともに来訪者の様子を見ながら通話することのできる、所謂、２世帯住宅対応のテレビインターホン装置である。
【００１０】
インターホン親機Ａは、図３および図４に示すように、外観的には、前面に、モニタ画面１０と、モニタ釦１１と、通話マイク１２と、通話釦１３と、通話ランプ１４と、スピーカ１５と、回線使用中ランプ１６と、室内呼Ａ釦１７と、室内呼Ｂ釦１８とを備え、右側面に、電源スイッチ１９と、グループ設定スイッチ２０と、ドアホン▲１▼設定スイッチ２１と、ドアホン▲２▼設定スイッチ２２と、内線一斉呼出通話解除手段に相当するトークバック設定スイッチ２３と、内線一斉呼出通話継続時間可変設定手段に相当する一斉通話時間設定部２４とを備える。
【００１１】
また、インターホン親機Ａは、内部に、図２に示すように、マイコン３０と、ドアホン▲１▼呼出検知回路３１と、ドアホン▲２▼呼出検知回路３２と、呼出音回路３３と、通話回路３４と、テレビ回路３５と、制御信号回路３６と、多重化回路３７と、切換接点３８と、マイクミュート回路３９とを備える。更に、インターホン親機Ａには、図５に示すように、増設用チャイムＤを接続できる。
【００１２】
なお、増設用チャイムＤは、インターホン親機Ａにもインターホン副親機Ｂ１，…Ｂ３  にも増設が可能であり、耳の不自由な人にも呼び出しされていることがわかるように、インターホン親機Ａあるいはインターホン副親機Ｂ１，…Ｂ３  に呼び出しがなされると、光をフラッシュして報知する。
【００１３】
各インターホン副親機Ｂ１，…Ｂ３  は、図１に示すように、外観的にはインターホン親機Ａと同様である。各インターホン副親機Ｂ１，…Ｂ３  は、内部的にも図６に示すようにインターホン親機Ａと略同様であり、異なるのは、ドアホン▲１▼呼出検知回路３１と、ドアホン▲２▼呼出検知回路３２と、多重化回路３７と、切換接点３８とを備えない構成である。従って、図６に示すインターホン副親機Ｂ１，…Ｂ３  にあっては、インターホン親機Ａと同様の個所には同じ符号を付し、詳細な説明を省略する。
【００１４】
また、ドアホン子器Ｃ１，Ｃ２  は、図９に示すように、外観的には、カメラ部４０と、スピーカ４１と、位置表示灯４２と、呼出釦４３と、通話マイク４４とを備える。
【００１５】
モニタ画面１０は、ドアホン子器Ｃ１，Ｃ２  の各々のカメラ部４０の撮像する映像をテレビ回路３５を介して映し出す部分であり、液晶画面にて構成される。モニタ釦１１は住居内から玄関先の様子を確認するときに押し操作を行う部分であり、モニタ釦１１の押し操作を行うと、ドアホン子器Ｃ１  あるいはドアホン子器Ｃ２  のカメラ部４０の撮像する映像がモニタ画面１０に映し出されるとともに、ドアホン子器Ｃ１  あるいはドアホン子器Ｃ２  の通話マイク４４のピックアップする音声がスピーカ１５から出力される。なお、このインターホン装置にあっては、モニタ釦１１を１回押すとドアホン子器Ｃ１  からの映像と音声とをモニタでき、モニタ釦１１を２回押すとドアホン子器Ｃ２  からの映像と音声とをモニタでき、このモニタ状態は１０秒間経過すると自動的にオフする。
【００１６】
通話マイク１２は、住人がドアホン子器Ｃ１，Ｃ２  を介して玄関先の来訪者と通話したり、インターホン副親機Ｂ１，…Ｂ３  との間で内線通話を行う際に、音声をピックアップする。通話釦１３は、ドアホン子器Ｃ１，Ｃ２  またはインターホン副親機Ｂ１，…Ｂ３  からの呼び出しに対し応答する場合に、押し操作を行う部分である。
【００１７】
通話ランプ１４は、呼び出し時に点滅し通話時に点灯するものであり、発光色が呼び出し元に応じて図７に示すように変化して、何処から呼び出されているか一目で分かるようにされている。スピーカ１５は、住人がドアホン子器Ｃ１，Ｃ２  を介して玄関先の来訪者と通話したり、インターホン副親機Ｂ１，…Ｂ３  との間で内線通話を行ったりする際、呼出鳴動信号や音声信号を呼出音や音声に変換して出力する。
【００１８】
回線使用中ランプ１６は、他のインターホン親機Ａ／インターホン副親機Ｂ１，…Ｂ３  が通話中であったり、または、ドアホン▲１▼設定スイッチ２１あるいはドアホン▲２▼設定スイッチ２２によって「切」側に設定されているドアホン子器Ｃ１，Ｃ２  から呼び出しされたりすると、赤色点灯して回線が使用中であることを表示する。
【００１９】
室内呼Ａ釦１７はＡグループに設定されているインターホン親機Ａ／インターホン副親機Ｂ１，…Ｂ３  を呼び出すときに押し操作する部分であり、室内呼Ｂ釦１８はＢグループに設定されているインターホン親機Ａ／インターホン副親機Ｂ１，…Ｂ３  を呼び出すときに押し操作する部分である。なお、Ａグループ／Ｂグループの設定はグループ設定スイッチ２０にて設定する。電源スイッチ１９は、電源の入り切りを行うためのものであり、２段階スライドスイッチにて構成されている。
【００２０】
グループ設定スイッチ２０は、その機器をＡグループ／Ｂグループの中の何処のグループに所属させるかを決定するものであり、３段階スライドスイッチにて構成され、「Ａグループ」／「Ｂグループ」／「Ａ＋Ｂグループ」を択一するようにされている。なお、「Ａ＋Ｂグループ」が選択された機器はＡグループにもＢグループにも所属することにされている。
【００２１】
ドアホン▲１▼設定スイッチ２１は、ドアホン子器Ｃ１  の呼出釦４３が押し操作されたときに、その機器が呼出音を鳴動するか否かを決定するものであり、２段階スライドスイッチにて構成される。ドアホン▲２▼設定スイッチ２２は、ドアホン子器Ｃ２  の呼出釦４３が押し操作されたときに、その機器が呼出音を鳴動するか否かを決定するものであり、２段階スライドスイッチにて構成される。
【００２２】
つまり、例えば、図１に示すように、親世帯側であるインターホン親機Ａとインターホン副親機Ｂ１  とにあっては、ドアホン▲１▼設定スイッチ２１が「入」側に且つドアホン▲２▼設定スイッチ２２が「切」側に設定され、子世帯側であるインターホン副親機Ｂ２，Ｂ３  にあっては、ドアホン▲１▼設定スイッチ２１が「切」側に且つドアホン▲２▼設定スイッチ２２が「入」側に設定されていれば、例えば図８に示すように、ドアホン子器Ｃ１  の呼出釦４３が押し操作されたときには、親世帯側であるインターホン親機Ａとインターホン副親機Ｂ１  とのみが「ピンポン」と鳴動するし、ドアホン子器Ｃ２  の呼出釦４３が押し操作されたときには、子世帯側であるインターホン副親機Ｂ２，Ｂ３  のみが「ピンポンピンポン」と鳴動する。
【００２３】
なお、例えばインターホン親機Ａのドアホン▲１▼設定スイッチ２１とドアホン▲２▼設定スイッチ２２とが共に「入」側に設定されていれば、インターホン親機Ａは、ドアホン子器Ｃ１  の呼出釦４３が押し操作されたときにもドアホン子器Ｃ２  の呼出釦４３が押し操作されたときにもいずれも鳴動し、しかも「ピンポン」と鳴動するか「ピンポンピンポン」と鳴動するかによって、ドアホン子器Ｃ１，Ｃ２  の呼出釦４３のいずれが押し操作されたかを判断できる。また、例えばインターホン親機Ａのドアホン▲１▼設定スイッチ２１とドアホン▲２▼設定スイッチ２２とが共に「切」側に設定されていれば、インターホン親機Ａは、ドアホン子器Ｃ１，Ｃ２  のいずれの呼出釦４３が押し操作されも、呼出音を鳴動しない。インターホン副親機Ｂ１，…Ｂ３  についても同様である。
【００２４】
トークバック設定スイッチ２３は、インターホン親機Ａまたはインターホン副親機Ｂ１，…Ｂ３  の設置される各部屋間のプライバシーを保つためのものであり、２段階スライドスイッチにて構成されている。
【００２５】
以下に、トークバック設定スイッチ２３の機能について詳細に説明する。インターホン親機Ａとインターホン副親機Ｂ１  とのグループ設定スイッチ２０がそれぞれ「Ａグループ」に設定され、インターホン副親機Ｂ２，Ｂ３  のグループ設定スイッチ２０がそれぞれ「Ｂグループ」に設定され、しかもインターホン親機Ａおよびインターホン副親機Ｂ１，Ｂ２  の各々のトークバック設定スイッチ２３が「入」側に設定され、インターホン副親機Ｂ３  のトークバック設定スイッチ２３は「切」側に設定されているものと仮定する。そして、例えばインターホン親機Ａの室内呼Ａ釦１７と室内呼Ｂ釦１８とを同時に押し操作したとすると、インターホン親機Ａおよびインターホン副親機Ｂ１，…Ｂ３  から「ブー」という内線一斉呼出音が僅かな時間一斉に鳴動する。
【００２６】
この内線一斉呼出鳴動が終わると、インターホン親機Ａおよびインターホン副親機Ｂ１，Ｂ２  の各々は、自動的に相互に音声が聞けて通話できる内線一斉呼出通話状態になって相互に三者間通話できるようになる。しかし、インターホン副親機Ｂ３  にあっては、トークバック設定スイッチ２３が「切」側に設定されているので、インターホン親機Ａおよびインターホン副親機Ｂ１，Ｂ２  の音声は聞くことができるものの、インターホン副親機Ｂ３  の通話釦１３を押し操作しない限り、マイクミュート回路３９がマイコン３０からの指示により通話マイク１２のピックアップする音声信号を自動的に遮断して内線一斉呼出通話機能を解除するので、インターホン親機Ａおよびインターホン副親機Ｂ１，Ｂ２  からはインターホン副親機Ｂ３  の通話マイク１２のピックアップする音声を聞くことはできない。つまり、インターホン副親機Ｂ３  の設置される部屋のプライバシーを保つことができるのである。
【００２７】
なお、内線一斉呼出通話状態は、呼び出された側の通話釦１３の押し操作がなされたものを除いて、一斉通話時間設定部２４にて設定された内線一斉呼出通話継続時間を経過すると、自動的にオフする。また、内線一斉呼出通話状態の時点で、インターホン副親機Ｂ３  の通話釦１３を押し操作すれば、インターホン副親機Ｂ３  からも内線一斉呼出通話に参加することができるとともに、通話釦１３を押し操作しているので、内線一斉呼出通話継続時間が経過してもインターホン親機Ａとインターホン副親機Ｂ３  との間の内線通話は継続する。
【００２８】
一斉通話時間設定部２４は、内線一斉呼出鳴動が終わった直後から開始される内線一斉呼出通話状態の継続時間を設定する部分であり、スライドボリュームにて構成される。一斉通話時間設定部２４は、例えば１０秒から３０秒の範囲で可変設定することができるようにされている。しかも、このインターホン装置にあっては、一斉通話時間設定部２４がインターホン親機Ａとインターホン副親機Ｂ1,…Ｂ3 との各々に設けられ、内線一斉呼出通話継続時間は各々に設定されている中の最長時間に設定されるようになっている。従って、このインターホン装置にあっては、各々の一斉通話時間設定部２４の設定を特別な理由の無い限り最も短い例えば１０秒に常にしておく運用形態ルールにすれば、何処の部屋からでも１０秒から３０秒の範囲で必要に応じて調整できることになる。
【００２９】
マイコン３０は、マイクロプロセッサ（図示せず）と記憶部（図示せず）と入出力ポート（図示せず）とを含んで構成されており、インターホン親機Ａ全体を制御する。ドアホン▲１▼呼出検知回路３１は、ドアホン子器Ｃ１  の呼出釦４３の押し操作を検知してマイコン３０にその旨を通知する。ドアホン▲２▼呼出検知回路３２は、ドアホン子器Ｃ２  の呼出釦４３の押し操作を検知してマイコン３０にその旨を通知する。
【００３０】
呼出音回路３３は、マイコン３０の指示に基づいて、電気信号としての呼出音を合成生成してスピーカ１５へ出力する部分である。呼出音回路３３は、これに限定される訳ではないが、例えば図８に示すように、ドアホン子器Ｃ１  の呼出釦４３が押されると「ピンポン」という呼出音を合成生成し、ドアホン子器Ｃ２  の呼出釦４３が押されると「ピンポンピンポン」という呼出音を合成生成し、室内呼Ａ釦１７や室内呼Ｂ釦１８が押されると「ブー」という呼出音を合成生成し、それぞれの音色を異ならしめることにより、鳴動音を聞いただけで意味合いが理解できるようにされている。
【００３１】
通話回路３４は、通話マイク１２からの音声信号を増幅し、多重化回路３７やドアホン子器Ｃ１，Ｃ２  へ出力するとともに、多重化回路３７やドアホン子器Ｃ１，Ｃ２  からの音声信号を増幅してスピーカ１５へ出力する。テレビ回路３５は、ドアホン子器Ｃ１，Ｃ２  のカメラ部４０の撮像する玄関先の映像信号を受けて、モニタ画面１０にその映像を映し出す。制御信号回路３６は、ドアホン子器Ｃ１  の呼出釦４３の押し操作あるいはドアホン子器Ｃ２  の呼出釦４３の押し操作のあった旨の通知をマイコン３０から受けると、ドアホン子器Ｃ１，Ｃ２  を示す呼出制御信号を、多重化回路３７からインターホン副親機Ｂ１，…Ｂ３  側へ送出する。
【００３２】
多重化回路３７は、音声信号と映像信号と制御信号とを多重化して送出する。切換接点３８は、マイコン３０の指示に基づいて動作するもので、ドアホン子器Ｃ１，Ｃ２  のいずれか一方を選択する。マイクミュート回路３９は、マイコン３０の指示に基づいて動作するもので、通話マイク１２からの音声信号を遮断できるようにされており、例えばモニタ釦１１を押して玄関先の様子を映像と音とで確認する場合などに作動して玄関先では住居内の音を聞けないようにしたり、トークバック設定スイッチ２３が「切」側になっているものにあっては内線一斉呼出通話時にその部屋の音をよそから聞けないようにしたりする。
【００３３】
ドアホン子器Ｃ１，Ｃ２  のカメラ部４０は、玄関先の来訪者や玄関先の様子を撮像してその映像信号を出力する。ドアホン子器Ｃ１，Ｃ２  のスピーカ４１は、住居内の住人の音声信号を音声に変換して、玄関先の来訪者に出力する。ドアホン子器Ｃ１，Ｃ２  の位置表示灯４２は、通電されていることを点灯にて示すとともに、夜間にあっては暗い場所でも呼出釦４３の位置を確認できるようにしている。ドアホン子器Ｃ１，Ｃ２  の呼出釦４３は、来訪者が住居内の住人を呼び出すときに押し操作するものである。ドアホン子器Ｃ１，Ｃ２  の通話マイク４４は、玄関先の音や来訪者の音声をピックアップして、インターホン親機Ａへ出力する。
【００３４】
従って、上述のように構成されるインターホン装置にあっては、インターホン親機Ａと、１または複数のドアホン子器Ｃ１，Ｃ２  と、１または複数のインターホン副親機Ｂ１，…Ｂ３  とを含んで構成され、インターホン親機Ａはドアホン子器Ｃ１，Ｃ２  とインターホン副親機Ｂ１，…Ｂ３  とを接続可能とし、インターホン副親機Ｂ１，…Ｂ３  はインターホン親機Ａと他のインターホン副親機Ｂ１，…Ｂ３  とを接続可能としており、インターホン親機Ａおよびインターホン副親機Ｂ１，…Ｂ３  の各々は、相互に音声を聞くことができて通話できる内線一斉呼出通話状態にする内線一斉呼出通話操作を可能としたものであるインターホン装置において、インターホン親機Ａおよびインターホン副親機Ｂ１，…Ｂ３  の各々は、必要に応じて内線一斉呼出通話機能を解除するための、内線一斉呼出通話解除手段に相当するトークバック設定スイッチ２３をそれぞれ備えるので、プライバシーを保ちたければトークバック設定スイッチ２３を「切」側にするだけで良く、使い勝手が良い。
【００３５】
また、内線一斉呼出通話状態は所定継続時間を経過すると自動的にオフするようにされており、オフし忘れることがなく、所定継続時間を可変設定する内線一斉呼出通話継続時間可変設定手段に相当する一斉通話時間設定部２４を備えるので、必要に応じて内線一斉呼出通話継続時間を可変することができ、使い勝手が良い。
【００３６】
更に、インターホン親機Ａおよびインターホン副親機Ｂ１，…Ｂ３  の各々が内線一斉呼出通話継続時間可変設定手段に相当する一斉通話時間設定部２４を備えており、内線一斉呼出通話継続時間は各々の一斉通話時間設定部２４に設定されている内線一斉呼出通話継続時間の中の最大時間になるようにされているので、何処の部屋からでも必要に応じて内線一斉呼出通話継続時間を可変して使用でき、使い勝手が良い。
【００３７】
なお、上記の実施の形態では、親世帯と子世帯とからなる２世帯住宅対応のテレビインターホン装置を例示しているが、本発明は上記の実施の形態に限定されるものではなく、内線一斉呼出通話機能を備えるインターホン装置であれば良く、テレビ機能や複数のドアホン子器を接続できる機能は無くても良いことは言うまでもない。
【００３８】
【発明の効果】
請求項１記載の発明によれば、内線一斉呼出通話解除手段にて内線一斉呼出通話機能を解除に設定するだけで、必要であれば任意にプライバシーを保てる使い勝手の良い優れるインターホン装置を提供できるという効果を奏する。
【００３９】
請求項１記載の発明によれば、上記の効果に加えて更に、必要に応じて内線一斉呼出通話継続時間を可変できるので、更に使い勝手の良い優れるインターホン装置を提供できるという効果を奏す
る。
【００４０】
請求項１記載の発明によれば、上記の効果に加えて更に、何処の部屋からでも必要に応じて内線一斉呼出通話継続時間を可変して使用できるので、更に使い勝手の良い優れるインターホン装置を提供できるという効果を奏する。
【図面の簡単な説明】
【図１】本発明に係る一実施の形態のインターホン装置を示すシステム構成図である。
【図２】上記インターホン装置のインターホン親機を示すブロック図である。
【図３】上記インターホン装置のインターホン親機の外観を示す斜視図である。
【図４】上記インターホン装置のインターホン親機の外観の要部を示す部分図である。
【図５】上記インターホン装置のインターホン親機に増設用チャイムを接続した状態を示す正面図である。
【図６】上記インターホン装置のインターホン副親機を示すブロック図である。
【図７】上記インターホン装置の通話ランプの点灯状態の種類を示す説明図である。
【図８】上記インターホン装置の呼出音の鳴動の種類を示す説明図である。
【図９】上記インターホン装置のドアホン子器の外観を示す斜視図である。
【符号の説明】
Ａ      インターホン親機
Ｂｎ      インターホン副親機（但しｎは１，２，３の整数）
Ｃｎ      ドアホン子器（但しｎは１，２の整数）
２３    内線一斉呼出通話解除手段
２４    内線一斉呼出通話継続時間可変設定手段
【図１】
0003552529.tif 000002
【図２】
0003552529.tif 000003
【図３】
0003552529.tif 000004
【図４】
0003552529.tif 000005
【図５】
0003552529.tif 000006
【図６】
0003552529.tif 000007
【図７】
0003552529.tif 000008
【図８】
0003552529.tif 000009
【図９】
0003552529.tif 000010